(57)【要約】【課題】吸気ポート及び内筒へ燃料を噴射するノズルを各気筒に有しているエンジンを始動する際に、消費される燃料を低減するエンジンを提供する。【解決手段】エンジン１は、第１のノズルＤｉ１〜Ｄｉ４と第２のノズルＰｉ１〜Ｐｉ４と制御装置２とを備えている。第１のノズルＤｉ１〜Ｄｉ４は、複数の気筒＃１〜＃４にそれぞれ設置され、各筒内Ａ１〜Ａ４へ直接燃料を噴射する。第２のノズルＰｉ１〜Ｐｉ４は、各気筒＃１〜＃４の吸気ポートＢ１〜Ｂ４にそれぞれ設置され、吸気ポートへ燃料を噴射する、制御装置２は、各気筒＃１〜＃４における燃料噴射を制御する。そして、この制御装置２は、エンジン１の始動制御における各気筒の最初の点火が、奇数番目である気筒の最初の燃料噴射を第１のノズル及び第２のノズルの一方で実施し、偶数番目である気筒の最初の燃料噴射を第１のノズル及び第２のノズルの他方で実施する。【選択図】      図１
2014126045.tif 000002
【特許請求の範囲】
【請求項１】
複数の気筒にそれぞれ設置されて各筒内へ直接燃料を噴射する第１のノズルと、前記各気筒の吸気ポートにそれぞれ設置されて前記吸気ポートへ燃料を噴射する第２のノズルと、前記各気筒における燃料噴射を制御する制御装置と、を備えるエンジンであって、
前記制御装置は、このエンジンの始動制御における前記各気筒の最初の点火が、奇数番目である気筒の最初の燃料噴射を前記第１のノズル及び前記第２のノズルの一方で実施し、偶数番目である気筒の最初の燃料噴射を前記第１のノズル及び前記第２のノズルの他方で実施する
ことを特徴とするエンジン。
【請求項２】
前記制御装置は、最初の点火が前記偶数番目である気筒に対する最初の燃料噴射を前記第１のノズルで実施する
ことを特徴とする請求項１に記載されたエンジン。
【請求項３】
前記制御装置は、すべての気筒の初爆が完了した後、一定の運転条件が満たされるまですべての気筒に対して前記第１のノズルから燃料を噴射する
ことを特徴とする請求項１または請求項２に記載されたエンジン。
【請求項４】
前記制御装置は、前記一定の運転条件が満足された後、すべての気筒に対して前記第２のノズルから燃料を噴射する
ことを特徴とする請求項３に記載されたエンジン。
【請求項５】
前記一定の運転条件は、このエンジンの冷却水の温度が一定値以上であること、または、前記エンジンの回転数が目標回転数以上であること、を含む
ことを特徴とする請求項３または請求項４に記載されたエンジン。
【発明の詳細な説明】
【技術分野】
【０００１】
本発明は、筒内直接噴射およびポート噴射の２系統の燃料噴射ノズルを有し、始動をする際にこれらを使い分ける燃料噴射制御を行なうエンジンに関する。
【背景技術】
【０００２】
筒内噴射用燃料噴射弁と吸気ポート噴射用燃料噴射弁とを備える内燃機関がある。運転状態に応じてこれら２種類の噴射弁を使い分けることで、燃費の向上を図っている。内燃機関の始動時には、機関温度が低い、いわゆる「冷態」であることもあり、燃費の気化が進まないため燃焼状態が安定しない。筒内噴射用燃料噴射弁から噴射させる燃料の圧力を高圧にすることによって燃料の気化が促進されることを期待するが、内燃機関が冷態である場合は、残圧が無いことが多く、燃料の噴射圧力を十分に高くするためにはしばらく時間を要する。
【０００３】
特許文献１に記載された内燃機関は、気筒内に燃料を直接噴射供給するメインインジェクタ、および吸気通路内に燃料を噴射供給するサブインジェクタを有する。この内燃機関の燃料噴射制御装置は、圧力センサで測られた燃料噴射圧力が所定圧力よりも低い場合、および、温度センサによって測られたエンジン冷却水の温度が所定温度よりも低い場合、少なくともサブインジェクタから吸気行程において燃料噴射を実行する。そして、噴射された燃料の圧力が低く粒径が大きくても気筒内に燃料が供給されるまでに気化して空気と混合されることが、記載されている。
【０００４】
特許文献２に記載された内燃機関は、気筒内に燃料を噴射するための筒内噴射用インジェクタと、吸気通路内に燃料を噴射するための吸気通路噴射用インジェクタとを備える。この内燃機関の制御装置は、内燃機関を始動させる際、内燃機関が温間である場合は筒内噴射用インジェクタのみから燃料を噴射し、内燃機関が冷間である場合は吸気通路噴射用インジェクタのみから燃料を噴射させる。筒内噴射用インジェクタによる燃料噴射は、圧縮行程で行われ、吸気通路噴射用インジェクタによる燃料噴射は、吸気行程で行われる。冷間であっても燃料を吸気通路に噴射することで、燃料の気化が促進されることが特許文献１と同様に記載されている。
【０００５】
特許文献３に記載された内燃機関は、各気筒の吸気通路に配置されたポート噴射弁と、少なくとも２つの気筒に配置された筒内噴射弁とを備える。筒内噴射弁は、任意の１つの気筒、及びこの気筒が圧縮行程以外または膨張行程以外となるときに圧縮行程または膨張行程となるように配置された気筒にそれぞれ設置されている。この内燃機関の制御装置は、機関を始動させる始動要求があった場合、吸気行程および排気行程の気筒にポート噴射弁で燃料を噴射するとともに圧縮行程または膨張行程の気筒に筒内噴射弁で燃料を噴射する。このように構成されていることで、クランクシャフトがどの角度で停止していてもエンジン始動の初回のサイクルで筒内噴射弁によって燃料が噴射された気筒から速やかに初爆を得ることで機関を素早く始動することが記載されている。
【０００６】
この特許文献３には、直列４気筒の内燃機関においてすべての気筒に筒内噴射弁とポート噴射弁とを備えることも記載されている。この内燃機関では、機関を始動させる始動要求があった時点で、クランクシャフトの回転角度によらずに２つの気筒が必ず圧縮行程および膨張行程にあることで、より強力な初爆を得ている。また、同じ技術をＶ型６気筒エンジンに適用した例も記載されている。ある１つの気筒及び、この気筒に対してクランク角において３６０°位相がずれている気筒のそれぞれに筒内噴射弁を配置することで、初回のサイクルで確実に初爆を得ることが記載されている。
【先行技術文献】
【特許文献】
【０００７】
【特許文献１】特開平１０−１７６５７４号公報
【特許文献２】特開２００６−２５８０１７号公報
【特許文献３】特開２０１２−６７６３９号公報
【発明の概要】
【発明が解決しようとする課題】
【０００８】
特許文献１及び特許文献２では、エンジンが冷めた冷態において始動させる場合、吸気通路噴射用インジェクタ（サブインジェクタ）から燃料噴射している。しかしながら、冷態から始動させる場合、吸気通路噴射用インジェクタから噴射される燃料は、吸気ポートの内面に付着してしまい、供給された量よりもダイリューション（希釈）されてしまう。そのため、本来必要な濃度の噴射燃料を得るためには、より多くの燃料を噴射しなければならない。一般にポート噴射を行うエンジンにおいて冷態始動させる場合、燃料が十分に気化される時間を取るために、まず全気筒に非同期で燃料噴射をしてからさらに各気筒に順番に燃料噴射を行う。このように、ポート噴射によってエンジンを冷態始動させる場合、燃焼に寄与する以上に多くの燃料を消費してしまう。
【０００９】
また、特許文献３では、アイドリングストップ後の再始動、すなわちエンジンが暖まった温態における始動を対象としており、始動のための燃料は筒内噴射弁から供給される。始動開始と同時に筒内噴射弁で燃料を噴射させる場合、エンジンの回転力が足りず、燃料の噴射圧力を十分に高くすることができない。そのため、燃料の粒径が小さくならない、つまり霧化し難い。その結果、排気ガス中のスモークが増えてしまう。また、燃料の圧力が低いと、噴射された燃料が拡散され難く、燃料の密度分布にもばらつきが生じやすい。
【００１０】
そこで、本発明は、吸気ポート及び内筒へ燃料を噴射するノズルを各気筒に有しているエンジンを始動する際に、消費される燃料を低減するエンジンを提供する。
【課題を解決するための手段】
【００１１】
本発明に係る一実施形態のエンジンは、第１のノズルと第２のノズルと制御装置とを備えているエンジンである。第１のノズルは、複数の気筒にそれぞれ設置され、各筒内へ直接燃料を噴射する。第２のノズルは、各気筒の吸気ポートにそれぞれ設置され、吸気ポートへ燃料を噴射する。制御装置は、各気筒における燃料噴射を制御する。そして、この制御装置は、エンジンの始動制御における各気筒の最初の点火が、奇数番目である気筒の最初の燃料噴射を第１のノズル及び第２のノズルの一方で実施し、偶数番目である気筒の最初の燃料噴射を第１のノズル及び第２のノズルの他方で実施する。
【００１２】
この場合、制御装置は、最初の点火が偶数番目である気筒に対する最初の燃料噴射を第１のノズルで実施することが好ましい。また、制御装置は、すべての気筒の初爆が完了した後、一定の運転条件が満たされるまで、すべての気筒に対して第１のノズルから燃料を噴射する。また、制御装置は、一定の運転条件が満足された後、すべての気筒に対して第２のノズルから燃料を噴射する。
【００１３】
このとき一定の運転条件は、このエンジンの冷却水の温度が一定値以上であること、または、このエンジンの回転数が目標回転数以上であること、を含む。
【発明の効果】
【００１４】
本発明に係るエンジンによれば、最初の点火の順番が奇数番目である気筒に対して最初の燃料噴射を第１のノズルから行った場合、最初の点火の順番が偶数番目である気筒に対して最初の燃料噴射を第２のノズルから行い、最初の点火の順番が偶数番目である気筒に対して最初の燃料噴射を第１のノズルから行った場合、最初の点火の順番が奇数番目である気筒に対して最初の燃料噴射を第２のノズルから行なう。上記のどちらの場合でも、第１のノズルで燃料が噴射されるタイミングは、連続しないので、第１のノズルから噴射される燃料の圧力が十分に高い圧力に達している。
【００１５】
エンジンの始動制御において第１のノズルから噴射された燃料が適正に霧化されるとともに、また筒内噴射されることによって余分な燃料を噴射することがなく、エンジンを始動させることができる。吸気ポートに第２のノズルから燃料が噴射された気筒と、筒内に第１のノズルから燃料が噴射された気筒とが交互に点火されるので、筒内噴射するための燃料の圧力の変動も小さく、第１のノズルから噴射される燃料の圧力を高く維持しやすい。第２のノズルから吸気ポートへ燃料を噴射させることによって燃料が当該気筒の筒内へ入るえ前に気化されるので、始動時に燃料に点火しやすくなる。また、第１のノズルから筒内へ噴射された燃料は、全て燃焼に利用される。これらの結果、エンジンの回転数が始動後の早い段階で安定し、また、目標回転数にも到達しやすい。したがって、エンジンの始動時の燃料の消費量を削減することができる。
【００１６】
最初の点火が偶数番目である気筒に対する最初の燃料噴射を制御装置が第１のノズルで実施する発明のエンジンによれば、第１のノズルで燃料を噴射するために必要な圧力を得るための十分な時間が確保できるので、第１のノズルから噴射される燃料が筒内で適正に霧化され、エンジンを始動させることができる。
【００１７】
また、すべての気筒の初爆が完了したのち、一定の運転条件が満足されるまで、制御装置がすべての気筒に対して第１のノズルから燃料を噴射する発明のエンジンによれば、各気筒の２回目以降の燃料噴射を第１ノズルによる筒内噴射になるので、始動直後の燃焼安定性を高めることができる。早い段階でエンジン回転数が目標回転数に達するので、エンジンの始動時に要する燃料が軽減される。第１のノズルから燃料が噴射される場合、圧縮行程で行われるので、燃料が霧化しやすく、燃焼状態が改善される。また、第１のノズルから噴射される燃料は、筒内へ直接噴射されるので、余分な燃料消費を抑制できる。
【００１８】
一定の運転条件が満たされた後、全ての気筒に対して制御装置が第２のノズルから燃料を噴射させる発明のエンジンによれば、第２のノズルで行われるポート噴射の方が第１のノズルで行われる筒内噴射よりも、エンジンの出力を安定させ易い。特に微小なパルス幅の制御が求められるアイドル運転において、エンジンの出力制御に有効である。
【００１９】
一定の運転条件に、エンジンの冷却水の温度が一定値以上であることと、エンジン回転数が目標回転数以上であることを含む発明のエンジンによれば、これらの条件のどちらかを満たしていれば、第２のノズルで吸気ポートに噴射された燃料が霧化しやすい。第１のノズルで筒内に噴射された燃料によるスモーク（ＨＣ（炭化水素））の発生量が確実に減る。
【図面の簡単な説明】
【００２０】
【図１】本発明に係る第１の実施形態のエンジンを模式的に示す図。
【図２】図１のエンジンの始動制御において、各気筒の行程、燃料噴射、および点火のタイミングを示す図。
【図３】図１のエンジンの始動制御において、各気筒の行程、燃料噴射、および点火のタイミングを示す図。
【図４】図１のエンジンの始動制御を示すフローチャート。
【図５】本発明に係る第２の実施形態のエンジンを模式的に示す図。
【図６】図５のエンジンの始動制御において、各気筒の行程、燃料噴射、および点火のタイミングを示す図。
【図７】図５のエンジンの始動制御において、各気筒の行程、燃料噴射、および点火のタイミングを示す図。
【発明を実施するための形態】
【００２１】
本発明に係る第１の実施形態のエンジン１について、図１から図４を参照して説明する。このエンジン１は、車両に搭載されるエンジン、特にアイドリングストップ運転が可能である車両やハイブリッド車両に搭載されるエンジンとして採用される。図１に示すエンジン１は、直列４気筒エンジンであって、以下に説明する。エンジン１は、４つの気筒＃１〜＃４と、各気筒＃１〜＃４の筒内Ａ１〜Ａ４へ直接燃料を噴射する第１のノズルＤｉ１〜Ｄｉ４と、各気筒＃１〜＃４の吸気ポートＢ１〜Ｂ４へ燃料を噴射する第２のノズルＰｉ１〜Ｐｉ４と、各気筒＃１〜＃４における燃料噴射を制御する制御装置２とを備える。本明細書及び各図中において、第１のノズルＤｉ１〜Ｄｉ４から燃料を噴射させることを「Ｄｉ噴射」、第２のノズルＰｉ１〜Ｐｉ４から燃料を噴射させることを「Ｐｉ噴射」と称することもある。
【００２２】
燃料噴射制御を実行する制御装置（電子制御装置（ＥＣＵ））２は、車両が停車していることを検知するためのセンサ２１、アイドリングストップ制御が働いていることを検出するアイドルスイッチ（ID_SW）２２、エンジン１の冷却水の温度を計測する温度センサ２３、クランク角度がどの位置であるか検知する角度センサ２４などと接続されている。車両が停車していることを検出するためのセンサ２１として、パーキングブレーキ、フットブレーキ、車速センサ、変速機がニュートラルであるかを検出するセンサ、アクセルペダルポジションセンサなどを単独で又は複合的に採用することができる。
【００２３】
第１の実施形態のエンジン１は、吸気行程、圧縮行程、膨張行程、排気行程を有した直列４気筒の４サイクルエンジンであり、振動及びトルクバランスなどを考慮して、各気筒が＃１→＃３→＃４→＃２の順にそれぞれ圧縮行程の終わりで点火されるように、各気筒の行程と点火順序が決められている。図２及び図３において、圧縮行程と膨張行程の間に印された星印は、そのタイミングで点火が行われることを意味している。
【００２４】
この制御装置２は、エンジン１の始動制御における各気筒＃１〜＃４の最初の点火が、奇数番目である気筒の最初の燃料噴射を第１のノズルまたは第２のノズルの一方で実施し、偶数番目である気筒の最初の燃料噴射を第１のノズル及び第２のノズルの他方で実施する。第１の実施形態では、図２及び図３に示すように、奇数番目の気筒＃１及び気筒＃４に対する最初の燃料噴射を第２のノズルＰｉ１、Ｐｉ４で実施し、偶数番目である気筒＃３及び気筒＃２に対する最初の燃料噴射を第１のノズルＤｉ３，Ｄｉ２で実施する。
【００２５】
また、本実施形態の場合、エンジン１の始動制御における各気筒＃１〜＃４の最初の燃料噴射を、始動開始の時に排気行程および圧縮行程に位置した気筒に対して第２のノズルから実施し、始動開始の時に膨張行程および吸気行程に位置した気筒に対してそれぞれの圧縮行程で第１のノズルから実施するように、構成されている。
【００２６】
具体的に例をあげると、図２及び図３に示すように、始動開始の時に排気行程に位置している気筒＃１および圧縮行程に位置している気筒＃４に対して、第２のノズルＰｉ１，Ｐｉ４から燃料噴射を行ない、始動開始の時に膨張行程に位置している気筒＃３および吸気行程に位置している気筒＃２に対して、それぞれの圧縮行程で第１のノズルＤｉ３，Ｄｉ２から燃料噴射を行なう。
【００２７】
このとき、図２及び図３に示すように、始動開始の時に排気行程に位置した気筒＃１および圧縮行程に位置した気筒＃４に対して第２のノズルＰｉ１，Ｐｉ４から行われる燃料噴射は、開始と同時に行われる。この燃料噴射は、エンジン１のクランク角度に対応していない非同期噴射である。
【００２８】
また図２及び図３に示すように、制御装置２は、すべての気筒＃１〜＃４の初爆が完了すると、一定の運転条件が満たされるまで、すべての気筒＃１〜＃４に対して第１のノズルＤｉ１〜Ｄｉ４から燃料を噴射させる。そして、一定の運転条件が満足されると、制御装置２は、すべての気筒＃１〜＃４に対して第２のノズルＰｉ１〜Ｐｉ４から燃料を噴射する。ここで、一定の運転条件は、エンジン１の冷却水の温度が一定値以上であること、または、エンジン１の回転数が目標回転数以上であることを含む。
【００２９】
以下にこの制御装置２が実行する始動制御について説明する。制御装置２は、始動制御が開始されると、図４に示すように、車両が停車中であるかセンサ２１の信号を基に判断（Ｓ１）する。停車中である場合、さらにアイドルスイッチ２２がＯＮであるか判断（Ｓ２）する。アイドルスイッチ２２がＯＮである場合、すなわちエンジン１が停止している場合、温度センサ２３で計測された温度が、所定値以下であるか判断（Ｓ３）する。この場合、温度センサ２３に設定される所定値は、例えば、約２０℃である。Ｓ１で停車中ではない場合、またはＳ２でアイドルスイッチ２２がＯＦＦである場合、またはＳ３で冷却水の温度が所定値以上である場合、いずれも通常の始動制御によって、エンジン１が始動（Ｓ４）される。
【００３０】
Ｓ３において冷却水の温度が所定値以下である場合、すなわちエンジン１が冷態である場合、始動においてクランキングを行い（Ｓ５）、角度センサ２４で検出されるクランク角度を基に各気筒＃１〜＃４がどの行程にあるかを識別（Ｓ６）する。
【００３１】
識別された各気筒＃１〜＃４の行程のうち、排気行程および圧縮行程にあると判定された気筒に対し始動制御を開始するのと同時にＰｉ噴射を実施する非同期噴射（Ｓ７）が行われる。例えば、図２及び図３に示すように始動開始の時に排気行程である気筒＃１及び圧縮行程である気筒＃４に対して、第２のノズルＰｉ１，Ｐｉ４で同時に吸気ポートＢ１，Ｂ４に燃料噴射を行う。圧縮行程、膨張行程、および排気行程において、吸気弁は、閉じられている。したがって、噴射された燃料は、吸気ポートＢ１，Ｂ４内で気化される。Ｐｉ噴射が実施される気筒＃１，＃４は、図２及び図３に示すように、点火順序が１番目及び３番目である。
【００３２】
また、図４のフローチャートに示されたように、非同期噴射された以外の気筒、すなわち気筒＃３，＃２は、それぞれ点火順序に合わせて第１のノズルＤｉ３，Ｄｉ２によって筒内Ａ３，Ａ２へ直接燃料が噴射（Ｓ８）される。図２及び図３において始動開始の時に膨張行程に位置した気筒、すなわち点火順序が２番目である気筒＃３は、最初に訪れる圧縮行程、すなわち始動開始から第３サイクルの圧縮行程でＤｉ噴射が行われる。また、図２及び図３において始動開始の時に吸気行程に位置した気筒、すなわち点火順序が４番目である気筒＃２は、二度目に訪れる圧縮行程、すなわち始動開始から第５サイクルの圧縮行程でＤｉ噴射が行われる。
【００３３】
図２及び図３に示すように、点火順序に従って気筒＃１の第２サイクルの終わりから点火が始まる。その結果、図２及び図３のいずれの場合も、Ｐｉ噴射された気筒（＃１、＃４）とＤｉ噴射された気筒（＃３、＃２）が交互に点火されることとなる。Ｐｉ噴射された気筒とＤｉ噴射された気筒が交互に点火される運転は、すべての気筒＃１〜＃４の点火が少なくとも一巡するまで継続される。
【００３４】
すべての気筒＃１〜＃４に対する点火が少なくとも一巡すると、制御装置２は、一定の運転条件が満たされるまで、すべての気筒＃１〜＃４に対する燃料噴射を図３に示すようにＤｉ噴射に切り換える。そして、一定の運転条件が満たされた場合は、すべての気筒＃１〜＃４に対する燃料噴射を図２に示すようにＰｉ噴射に切り換える。本実施形態において、運転条件として監視されるのは、エンジン１の冷却水の温度およびエンジン回転数である。
【００３５】
そこで、制御装置２は、すべての気筒＃１〜＃４に対する点火が一巡すると、まず温度センサ２３の検出値を基にエンジン１の冷却水の温度が一定の値以上であるか判断（Ｓ９）する。冷却水の温度が一定の温度以上になっている場合、その時点でまだ排気行程を経ておらず、第２のノズル（Ｐｉ１〜Ｐｉ４）によって吸気ポート（Ｂ１〜Ｂ４）に燃料が噴射されていない気筒から順にＰｉ噴射制御（Ｐｉシーケンシャル噴射）（Ｓ１０）を開始し、アイドルモードに移行（Ｓ１１）する。
【００３６】
また、Ｓ９において冷却水温度が一定の値に達していなかった場合、制御装置２は、エンジン回転数が目標回転数よりも高くなったか判断（Ｓ１２）する。エンジン回転数が目標回転数よりも高くなった場合、その時点でまだ排気行程を経ておらず、第２のノズル（Ｐｉ１〜Ｐｉ４）によって吸気ポート（Ｂ１〜Ｂ４）に燃料が噴射されていない気筒から順にＰｉ噴射制御（Ｐｉシーケンシャル噴射）（Ｓ１０）を開始し、アイドルモードに移行（Ｓ１１）する。
【００３７】
図２は、エンジン１の始動制御において、すべての気筒の点火が一巡する前に、第３サイクルで一定の運転条件（冷却水の温度が一定の温度以上であるか、エンジン回転数が目標回転数に達した場合）を満たしていた場合を示す。点火が一巡する間に、一定の運転条件が満たされた場合、制御装置２は、それまでＤｉ噴射だった気筒＃３，＃２をＰｉ噴射に切り換える。また、気筒＃１にとって２巡目になる第６サイクルの終わりで行われる点火をＰｉ噴射によるものとするために、第４サイクルの排気行程でＰｉ噴射が実施される。気筒＃２は、第３サイクルの時点で燃料噴射がまだ一度も行われていないので、第５サイクルの圧縮行程でＤｉ噴射および点火が実施されてからＰｉ噴射に移行する。そして、気筒＃２は、第７サイクルの排気行程でＰｉ噴射に移行する。
【００３８】
図３は、エンジン１の始動制御においてすべての気筒＃１〜＃４に対する点火が一巡しても、一定の運転条件を満たしていない場合、すなわち冷却水の温度が一定値以下であり、かつ、エンジン回転数が目標回転数に満たない場合を示す。点火が一巡する間に、一定の運転条件が満たされない場合、制御装置２は、排気行程におけるＰｉ噴射を中止し、その後の圧縮行程でＤｉ噴射を実施する。つまり、図３において、第３サイクル及び第４サイクルで一定の運転条件に達していないと、気筒＃１の第４サイクルの排気行程および気筒＃３の第５サイクルの排気行程でＰｉ噴射を実施せずに、すべての気筒＃１〜＃４をＤｉ噴射（Ｓ１３）に切り換える。そして、冷却水の温度が一定値以上になるかエンジン回転数が目標回転数を上回るまで、Ｓ９及びＳ１２の判定を繰り返し、Ｄｉ噴射（Ｓ１３）が継続される。
【００３９】
Ｄｉ噴射が継続されたのち冷却水の温度が一定値以上になるかエンジン回転数が目標回転数に達すると、図４に示すようにＰｉ噴射制御（Ｓ１０）に切り換え、アイドルモードへ移行（Ｓ１１）する。全ての気筒に対してＤｉ噴射が実施されたのち、Ｐｉ噴射に切り換わる場合、一定の運転条件を満たした時点で排気行程を経ていない気筒について、順次Ｐｉ噴射に切り換える。図３おいて、第９サイクルで運転条件が一定の値以上に達した場合、その時点で排気行程を過ぎていた気筒は、気筒＃１の第１０サイクルおよび気筒＃３の第１１サイクルに示すように、直後の圧縮行程まではＤｉ噴射を実施する。そして一定の運転条件に達した時点で、排気行程に達していなかった気筒＃４，＃２は、それぞれ第１０サイクル及び第１１サイクルの排気行程からＰｉ噴射を開始する。
【００４０】
以上のように筒内Ａ１〜Ａ４に燃料を直接噴射する第１のノズルＤｉ１〜Ｄｉ４と気筒の吸気ポートＢ１〜Ｂ４に燃料を噴射する第２のノズルＰｉ１〜Ｐｉ４とを備えているエンジン１において、始動開始と同時に点火順序が１番目及び３番目の気筒（＃１，＃４）に対してＰｉ噴射（ポート噴射）による非同期噴射を実施し、その他の気筒（＃３，＃２）に対して圧縮行程でＤｉ噴射（直接噴射）を実施する。エンジン１を始動する際に、Ｐｉ噴射された気筒とＤｉ噴射された気筒が交互に点火されることになる。Ｄｉ噴射が含まれているので、冷態始動した場合でも、消費される始動燃料が低減され、かつＨＣ（炭化水素）が軽減されるなど排ガス成分が改善される。またＰｉ噴射を非同期噴射として始動開始の時に行い、その後、圧縮行程においてＤｉ噴射が行われるので、Ｄｉ噴射までの間にクランクシャフトは、少なくとも１回転する。その結果、Ｄｉ噴射に必要な燃料圧力を確保することができるので、第１のノズルＤｉによって噴射された燃料は、確実に霧化される。
【００４１】
なお、図２及び図３では、気筒＃１から点火が始まるように図示されているが、点火順序は、常に気筒＃１から始まらなければならないということはない。エンジン１が停止した状態のクランク角度に応じていずれの気筒＃１，＃２，＃３，＃４から点火を始めてもよい。ただし、各気筒＃１，＃２，＃３，＃４が直列に並んでいる場合、＃１→＃３→＃４→＃２→＃１のように、どこから始まってもその次に点火される気筒は決まっている。
【００４２】
本発明に係るエンジン１は、４気筒のこのエンジン１のみを搭載した車両においてエンジン１を冷態始動する場合の他に、エンジン１とともに駆動モータ及びバッテリを備えるハイブリッド車両においてエンジン１を冷態始動させる場合にも適用される。
【００４３】
本発明に係る第２の実施形態のエンジン１について、図５から図７を参照して説明する。このエンジン１は、３気筒のエンジン１である点が、第１の実施形態のエンジン１と異なっている。第１の実施形態のエンジン１の構成と同じ機能を有する構成は、各図中において、同一の符号を付し、詳細な説明は、第１の実施形態における対応する記載を参照することとする。
【００４４】
第１の実施形態のエンジン１は、図５に示すように３気筒の４サイクルエンジンであって、図６及び図７に示すように気筒＃１から、＃１→＃２→＃３→＃１の順にそれぞれ圧縮行程の終わりで点火されるように、各気筒の行程および点火順序が決められている。第１の実施形態と同様に、図６及び図７において圧縮行程と膨張行程の間に印された星印は、各気筒＃１〜＃３の点火のタイミングを示している。このエンジン１は、複数の気筒＃１〜＃３にそれぞれ設置されて各筒内Ａ１〜Ａ３へ直接燃料を噴射する第１のノズルＤｉ１〜Ｄｉ３と、各気筒＃１〜＃３の吸気ポートＢ１〜Ｂ３にそれぞれ設置されて吸気ポートへ燃料を噴射する第２のノズルＰｉ１〜Ｐｉ３と、これらを制御する制御装置２を備える。
【００４５】
制御装置２は、エンジン１の始動制御装置における各気筒＃１〜＃３に対する最初の点火が、奇数番目である気筒、図６及び図７において１番目の気筒＃１及び３番目の気筒＃３、に対する最初の燃料噴射を第２のノズルＰｉ１，Ｐｉ３で実施し、偶数番目である気筒、図６及び図７において２番目の気筒＃２、に対する最初の燃料噴射を第１のノズルＤｉ２で実施する。エンジン１が始動開始されるとき、気筒＃１は排気行程に位置し、気筒＃２は膨張行程に位置し、気筒＃３は圧縮行程に位置している。なお、このエンジン１は３気筒であるので、厳密にはそれぞれの行程の開始時期に約６０°の位相差がある。
【００４６】
制御装置２は、エンジン１の始動制御が開始されると、それとほぼ同時に、各気筒の最初の点火が行われるとき奇数番目となる１番目に点火される気筒＃１及び３番目に点火される気筒＃３に対して第２のノズルＰｉ１，Ｐｉ３でそれぞれの吸気ポートＢ１，Ｂ３に燃料を噴射する。この噴射時期は、エンジン１のクランク角度に対応していない非同期噴射である。偶数番目に点火される気筒＃２は、第１のノズルＤｉ２で筒内Ａ２へ直接燃料噴射が行われ、したがって、気筒＃２の圧縮行程において燃料噴射が行われる。
【００４７】
なお、エンジン１の始動制御が開始されたときに、常に気筒＃１が排気行程にあるとは限らない。点火順序が１番目になる気筒は、圧縮行程よりも前で膨張行程よりも後の行程であると、第２のノズルＰｉ１〜Ｐｉ３で吸気ポートＢ１〜Ｂ３に噴射された燃料が筒内Ａ１〜Ａ３に吸気されて添加されるまでの間に気化する十分な時間が確保される。また、その結果、点火順序が２番目になる気筒＃１〜＃３に対して第１のノズルＤｉ１〜Ｄｉ３からその気筒の筒内Ａ１〜Ａ３へ燃料が噴射されるまで、すなわち２番目に点火される気筒の圧縮行程まで、１番目の気筒が添加されるまでよりもさらに時間が得られる。つまり、第１のノズルＤｉ１〜Ｄｉ３に必要な燃料の噴射圧力を確保する時間が得られる。
【００４８】
このように、最初の点火が偶数番目となる気筒、本実施形態では気筒＃２、に対して最初の燃料噴射を第１のノズルＤｉ２で実施するので、燃料噴射に必要な圧力まで高めることができる。またＰｉ噴射によって燃料が供給される気筒とＤｉ噴射によって燃料が供給される気筒が交互に点火されるので、エンジン１を冷態始動させる場合、Ｐｉ噴射のみで始動される場合に比べて炭化水素（ＨＣ）の排出量が低減されるとともに、Ｄｉ噴射のみで始動される場合に比べてオイルダイリューションも低減される。
【００４９】
また、このエンジン１の制御装置２は、全ての気筒＃１〜＃３に対する初爆が完了したときに一定の運転条件が満たされていない場合、全ての気筒＃１〜＃３に対する燃料噴射を第１のノズルＤｉ１〜Ｄｉ３によるＤｉ噴射にし、一定の運転条件が満たされた場合、全ての気筒＃１〜＃３に対する燃料噴射を第２のノズルＰｉ１〜Ｐｉ３によるＰｉ噴射にする。図６は、全ての気筒＃１〜＃３の初爆が完了したときに一定の運転条件が満たされていた場合を示し、図７は、全ての気筒＃１〜＃３の初爆が完了したときに一定の運転条件が満たされていない場合を示している。図７では、各気筒＃１〜＃３の２回目の燃料噴射が全てＤｉ噴射で行われている。
【００５０】
第２の実施形態では、第１の実施形態と同様に、一定の運転条件として、エンジン１の冷却水の温度が一定値以上であること、または、エンジン１の回転数が目標回転数以上であることを監視しており、これらが満たされた場合、全ての気筒＃１〜＃３の燃料噴射を第２のノズルＰｉ１〜Ｐｉ３によるＰｉ噴射に切り換える。Ｐｉ噴射の方がＤｉ噴射よりも点火のタイミングに対して早く燃料を噴射しなければならないので、Ｄｉ噴射からＰｉ噴射に切り換わる場合、図７に示すようにそれぞれが混在することがある。図７では、エンジン回転数が目標回転数を超えたことを検出して燃料噴射をＰｉ噴射に移行している。
【００５１】
また、第２の実施形態における制御装置２に因るエンジン１の始動制御は、第１の実施形態の場合と同じであり、したがって、図４に示したフローチャートによって同様に制御される。なお、図４のＳ３において、エンジン１が冷態であるか否かを判定している。本発明の場合、点火順序が奇数番目の気筒に対する最初の燃料噴射を第２のノズルＰｉ１〜Ｐｉ３で行い、点火順序が偶数番目の気筒に対する最初の燃料噴射を第１のノズルＤｉ１〜Ｄｉ３で行うので、冷態始動であるか温態始動であるかを問わずに、Ｐｉ噴射した燃料が気化されるまでの時間が十分にあり、エンジン１の始動を円滑に行えるとともに、偶数番目に行われるＤｉ噴射のための燃料圧力も十分に確保できる。冷態始動と温態始動で燃料噴射の制御を同じ制御フローに基づいて行うことができるため、制御が簡素化される。
【符号の説明】
【００５２】
１…エンジン、２…制御装置、＃１〜＃４…気筒、Ａ１〜Ａ４…筒内、Ｂ１〜Ｂ４…吸気ポート、Ｄｉ１〜Ｄｉ４…第１のノズル、Ｐｉ１〜Ｐｉ４…第２のノズル。
【図１】
2014126045.tif 000003
【図２】
2014126045.tif 000004
【図３】
2014126045.tif 000005
【図４】
2014126045.tif 000006
【図５】
2014126045.tif 000007
【図６】
2014126045.tif 000008
【図７】
2014126045.tif 000009